(57)【特許請求の範囲】
【請求項１】
電気光学物質層を挟んで対向する前後一対の基板のうち、表示の観察側の基板である前基板の側縁部に他方の後基板の外方に突出する端子配列部が形成され、その端子配列部の内面に端子電極が配列形成された電気光学表示パネルと、一端部を前記表示パネルの端子配列部の内面に接着接続され、その接着部の近傍において折り返されて前記表示パネルの後面側に配置されたフレキシブル配線板と、このフレキシブル配線板の折り返し部の内周側に、一側面が円弧状の湾曲凸面に形成された樹脂板からなり、前記フレキシブル配線板の折り返し形状を規定するための折り返しガイド部材と、前記ガイド部材の湾曲凸面に被着された粘着剤或いは両面粘着テープのうちのいずれか一方からなり、前記フレキシブル配線板を貼り付けるための粘着部材とを備え、前記端子配列部の端子電極は、前記端子配列部の端縁から前記フレキシブル配線板の折り返し部の曲率半径に相当する距離をとった位置より内側に形成され、前記フレキシブル配線板が、その一端部を前記表示パネルの端子配列部の端縁よりも前記端子配列部の内側に入り込んだ領域において前記端子配列部に接着され、前記端子配列部の端縁よりも内側において、前記ガイド部材に沿って折り返されていることを特徴とする表示モジュール。
【発明の詳細な説明】
【０００１】
【発明の属する技術分野】
この発明は、電気光学表示パネルとその端子配列部に接続されたフレキシブル配線板とを備えた表示モジュールに関するものである。
【０００２】
【従来の技術】
例えば電子腕時計、電卓、携帯電話機、腕装着型モニタ付きビデオカメラ等の小型電子機器に搭載される電気光学表示パネルを用いた表示モジュールは、その実装スペースをできるだけ小さくするため、前記表示パネルの端子配列部に一端部を接続されたフレキシブル配線板を、その接着部の近傍において折り返して前記表示パネルの後面側に配置した構成とされている。
【０００３】
図３は、電気光学表示パネルの端子配列部に接続されたフレキシブル配線板を折り返して前記表示パネルの後面側に配置した従来の表示モジュールの一部分の断面図である。
【０００４】
この表示モジュールは、電気光学表示パネルとして液晶表示パネル１を用いたものであり、前記液晶表示パネル１と、一端部を前記液晶表示パネル１の端子配列部２ａの内面に接着接続され、その接着部の近傍において折り返されて前記液晶表示パネル１の後面側に配置されたフレキシブル配線板１２とを備えている。
【０００５】
前記液晶表示パネル１は、例えば単純マトリックス方式のものであり、液晶層８を挟んで対向する前後一対の透明基板２，３のうちの一方の基板、例えば前基板２の内面に、行方向（画面の左右方向）に沿わせて互いに平行に形成された複数の走査電極４が設けられ、他方の後基板３の内面に、列方向（画面の上下方向）に沿わせて互いに平行に形成された複数の信号電極５が設けられている。
【０００６】
なお、前記一対の基板２，３は、その周縁部において、枠状のシール材７を介して接合されており、これらの基板２，３間の前記シール材７により囲まれた領域に液晶層８が設けられている。
【０００７】
また、前記一対の透明基板２，３のうちの表示の観察側の基板である前基板２の一側縁部には、他方の後基板３の外方に突出する端子配列部２ａが形成されており、その端子配列部２ａの内面に、前記複数の走査電極４にそれぞれ対応する複数の走査側端子電極６と、前記複数の信号電極５にそれぞれ対応する複数の信号側端子電極（図示せず）とが配列形成されている。
【０００８】
これらの端子電極は、前記シール材７による基板接合部内またはその外側縁の近傍から前記端子配列部２ａの端縁にわたって形成されており、前基板２の内面に設けられた複数の走査電極４は、前記複数の走査側端子電極６にそれぞれつながり、後基板３の内面に設けられた複数の信号電極５は、前記前基板２の内面に前記複数の信号側端子電極からそれぞれ前記基板接合部に導出形成された複数のリード部（図示せず）に、図示しない導電性クロス材を介してそれぞれ接続されている。
【０００９】
また、この液晶表示パネル１は、ＴＮ（ツイステッドネマティック）型またはＳＴＮ（スーパーツイステッドネマティック）型のものであり、前記一対の基板２，３の外面にはそれぞれ偏光板９，１０がその光学軸（吸収軸または透過軸）を所定の方向に向けて配置され、前記液晶層８の液晶分子は、両基板２，３の内面にそれぞれ前記電極４，５を覆って設けられた図示しない配向膜によりそれぞれの基板２，３の近傍における配向方向を規制されて所定のツイスト角でツイスト配向している。
【００１０】
さらに、この液晶表示パネル１は、電子機器の使用環境の光である外光を利用する反射表示を行なうものであり、その後基板３の外面に配置された後側偏光板１０の背面に反射板１１を備えている。
【００１１】
一方、前記フレキシブル配線板１２は、樹脂フィルムの一方の面に複数の配線（図示せず）を設けるとともに、その面に、前記液晶表示パネル１を駆動するためのＬＳＩ（大規模集積回路）等の駆動回路素子１３を、その複数の入出力端子を前記複数の配線にそれぞれ接続して搭載したものであり、前記駆動回路素子１３の複数の出力端子がそれぞれ接続された複数の出力側配線は、このフレキシブル配線板１２の一端部に導出され、前記液晶表示パネル１の端子配列部２ａに配列形成された複数の走査側端子電極６および信号側端子電極にそれぞれ対応させて配列されている。
【００１２】
そして、前記フレキシブル配線板１２は、その一端部に配列された前記複数の出力側配線を、前記液晶表示パネル１の端子配列部２ａの複数の走査側端子電極６および信号側端子電極にそれぞれ対向させ、この一端部を、前記端子配列部２ａにその端縁から所定の接着長さＷにわたって異方導電性接着剤１４により接着することにより、前記端子配列部２ａに接続されるとともに、その接着部の近傍において折り返されて、前記液晶表示パネル１の後面側に配置されている。
【００１３】
【発明が解決しようとする課題】
上記従来の表示モジュールは、フレキシブル配線板１２の一端部を、液晶表示パネル１の端子配列部２ａに対し、この端子配列部２ａの端縁から所定の接着長さＷにわたって接着接続し、このフレキシブル配線板１２を前記端子配列部２ａへの接着部の近傍において折り返しているため、前記フレキシブル配線板１２の折り返し部が、図３に示したように前記液晶表示パネル１の端子配列部２ａの外側にはみ出す。
【００１４】
そのため、従来の表示モジュールは、その前面側から見た外形が、前記液晶表示パネル１の端子配列部２ａの外側に前記フレキシブル配線板１２の折り返し部がはみ出した形状であり、したがって、この表示モジュールを電子機器に実装するには、図３に仮想線（二点鎖線）で示したように、電子機器の表示モジュール収容部１５を、前記フレキシブル配線板１２のはみ出し部（折り返し部）の収容スペース１５ａを有する複雑な形状に形成しなければならなかった。
【００１５】
この発明は、表示パネルの外側へのフレキシブル配線板の折り返し部のはみ出しを無くし、前面側から見た外形を、前記表示パネルの外形に対応したシンプルな形状にすることができる表示モジュールを提供することを目的としたものである。
【００１６】
【課題を解決するための手段】
この発明の表示モジュールは、電気光学物質層を挟んで対向する前後一対の基板のうち、表示の観察側の基板である前基板の側縁部に他方の後基板の外方に突出する端子配列部が形成され、その端子配列部の内面に端子電極が配列形成された電気光学表示パネルと、一端部を前記表示パネルの端子配列部の内面に接着接続され、その接着部の近傍において折り返されて前記表示パネルの後面側に配置されたフレキシブル配線板と、このフレキシブル配線板の折り返し部の内周側に、一側面が円弧状の湾曲凸面に形成された樹脂板からなり、前記フレキシブル配線板の折り返し形状を規定するための折り返しガイド部材と、前記ガイド部材の湾曲凸面に被着された粘着剤或いは両面粘着テープのうちのいずれか一方からなり、前記フレキシブル配線板を貼り付けるための粘着部材とを備え、前記端子配列部の端子電極は、前記端子配列部の端縁から前記フレキシブル配線板の折り返し部の曲率半径に相当する距離をとった位置より内側に形成され、前記フレキシブル配線板が、その一端部を前記表示パネルの端子配列部の端縁よりも前記端子配列部の内側に入り込んだ領域において前記端子配列部に接着され、前記端子配列部の端縁よりも内側において、前記ガイド部材に沿って折り返されていることを特徴とするものである。
【００１７】
この表示モジュールは、フレキシブル配線板の折り返し部の内周側に、一側面が円弧状の湾曲凸面に形成された樹脂板からなり、前記フレキシブル配線板の折り返し形状を規定するための折り返しガイド部材と、前記ガイド部材の湾曲凸面に被着された粘着剤或いは両面粘着テープのうちのいずれか一方からなり、前記フレキシブル配線板を貼り付けるための粘着部材とを備え、前記フレキシブル配線板の一端部を前記表示パネルの端子配列部の端縁よりも前記端子配列部の内側に入り込んだ領域において前記端子配列部に接着し、このフレキシブル配線板を前記端子配列部の端縁よりも内側において、前記ガイド部材に沿って折り返したものであるため、前記表示パネルの外側への前記フレキシブル配線板の折り返し部のはみ出しが無く、したがって、前面側から見た外形を、前記表示パネルの外形に対応したシンプルな形状にすることができる。
【００１８】
【発明の実施の形態】
この発明の表示モジュールは、上記のように、フレキシブル配線板の折り返し部の内周側に、一側面が円弧状の湾曲凸面に形成された樹脂板からなり、前記フレキシブル配線板の折り返し形状を規定するための折り返しガイド部材と、前記ガイド部材の湾曲凸面に被着された粘着剤或いは両面粘着テープのうちのいずれか一方からなり、前記フレキシブル配線板を貼り付けるための粘着部材とを備え、フレキシブル配線板の一端部を表示パネルの端子配列部の端縁よりも前記端子配列部の内側に入り込んだ領域において前記端子配列部に接着し、このフレキシブル配線板を前記端子配列部の端縁よりも内側において、前記ガイド部材に沿って折り返すことにより、前記表示パネルの外側へのフレキシブル配線板の折り返し部のはみ出しを無くし、前面側から見た外形を、前記表示パネルの外形に対応したシンプルな形状にすることができるようにしたものである。
【００１９】
また、この発明の表示モジュールによれば、前記フレキシブル配線板の折り返し形状を一定にし、前記表示パネルとフレキシブル配線板とからなる表示モジュール全体の形状を規格化することができる。
【００２０】
【実施例】
図１は参考例を示す表示モジュールの一部分の断面図である。この参考例の表示モジュールは、電気光学表示パネルとして液晶表示パネル２０を用いたものであり、前記液晶表示パネル２０と、一端部を前記液晶表示パネル２０の端子配列部２ａの内面に接着接続され、その接着部の近傍において折り返されて前記液晶表示パネル２０の後面側に配置されたフレキシブル配線板３１とを備えている。
【００２１】
前記液晶表示パネル２０は、例えば単純マトリックス方式のものであり、液晶層２７を挟んで対向する前後一対の透明基板２１，２２のうちの一方の基板、例えば前基板２１の内面に、行方向（画面の左右方向）に沿わせて互いに平行に形成された複数の走査電極２３が設けられ、他方の後基板２２の内面に、列方向（画面の上下方向）に沿わせて互いに平行に形成された複数の信号電極２４が設けられている。
【００２２】
なお、前記一対の基板２１，２２は、その周縁部において、枠状のシール材２６を介して接合されており、これらの基板２１，２２間の前記シール材２６により囲まれた領域に液晶層２７が設けられている。
【００２３】
また、前記一対の透明基板２１，２２のうちの表示の観察側の基板である前基板２１の一側縁部には、他方の後基板２２の外方に突出する端子配列部２１ａが形成されており、その端子配列部２１ａの内面に、前記複数の走査電極２３にそれぞれ対応する複数の走査側端子電極２５と、前記複数の信号電極２４にそれぞれ対応する複数の信号側端子電極（図示せず）とが配列形成されている。
【００２４】
これらの端子電極は、前記シール材２６による基板接合部内またはその外側縁の近傍から、前記端子配列部２１ａの端縁よりも前記端子配列部２１ａの内側に入り込んだ領域にわたって形成されており、前基板２１の内面に設けられた複数の走査電極２３は、前記複数の走査側端子電極２５にそれぞれつながり、後基板２２の内面に設けられた複数の信号電極２４は、前記前基板２１の内面に前記複数の信号側端子電極からそれぞれ前記基板接合部に導出形成された複数のリード部（図示せず）に、図示しない導電性クロス材を介してそれぞれ接続されている。
【００２５】
また、この液晶表示パネル２０は、ＴＮ型またはＳＴＮ型のものであり、前記一対の基板２１，２２の外面にはそれぞれ偏光板２８，２９がその光学軸（吸収軸または透過軸）を所定の方向に向けて配置され、前記液晶層２７の液晶分子は、両基板２１，２２の内面にそれぞれ前記電極２３，２４を覆って設けられた図示しない配向膜によりそれぞれの基板２１，２２の近傍における配向方向を規制されて所定のツイスト角でツイスト配向している。
【００２６】
さらに、この液晶表示パネル２０は、電子機器の使用環境の光である外光を利用する反射表示を行なうものであり、その後基板２２の外面に配置された後側偏光板２９の背面に反射板３０を備えている。
【００２７】
一方、前記フレキシブル配線板３１は、樹脂フィルムの一方の面に複数の配線（図示せず）を設けるとともに、その面に、前記液晶表示パネル２０を駆動するためのＬＳＩ等の駆動回路素子３２を、その複数の入出力端子を前記複数の配線にそれぞれ接続して搭載したものであり、前記駆動回路素子３２の複数の出力端子がそれぞれ接続された複数の出力側配線は、このフレキシブル配線板３１の一端部に導出され、前記液晶表示パネル２０の端子配列部２１ａに配列形成された複数の走査側端子電極２５および信号側端子電極にそれぞれ対応させて配列されている。
【００２８】
そして、前記フレキシブル配線板３１は、その一端部に配列された前記複数の出力側配線を、前記液晶表示パネル２０の端子配列部２１ａの複数の走査側端子電極２５および信号側端子電極にそれぞれ対向させ、この一端部を前記端子配列部２１ａに、この端子配列部２１ａの端縁よりも前記端子配列部２１ａの内側（シール材２６による基板接合部側）に入り込んだ領域において、所定の接着長さＷ′にわたって異方導電性接着剤３３により接着することにより、前記端子配列部２１ａに接着接続されている。
【００２９】
なお、前記液晶表示パネル２０の端子配列部２１ａへの前記フレキシブル配線板３１の接着接続は、前記端子配列部２１ａに前記異方導電性接着剤３３を介して前記フレキシブル配線板３１の一端部を重ね、図示しないヒートシール治具により加熱圧着することにより行なわれる。
【００３０】
そして、前記一端部を前記液晶表示パネル２０の端子配列部２１ａに接着接続されたフレキシブル配線板３１は、前記端子配列部２１ａの端縁よりも内側において折り返され、前記液晶表示パネル２０の後面側に配置されている。
【００３１】
なお、前記フレキシブル配線板３１の折り返し部は、フレキシブル配線板３１に無理なストレスを生じさせないようにするため、図のように円弧状に湾曲される。
【００３２】
そのため、この参考例では、前記液晶表示パネル２０の端子配列部２１ａへのフレキシブル配線板３１の接着領域を、前記端子配列部２１ａの端縁から前記フレキシブル配線板３１の折り返し部の曲率半径に相当する長さ以上の距離Ｌをとった位置より内側の領域とし、前記端子配列部２１ａに一端部を接着接続された前記フレキシブル配線板３１を、前記端子配列部２１ａの端縁よりも内側において折り返している。
【００３３】
なお、前記フレキシブル配線板３１の折り返し部の曲率半径は、数百μｍ程度であり、したがって、前記端子配列部２１ａの端縁からフレキシブル配線板３１の接着領域までの距離Ｌは、数百μｍ程度以上あればよい。
【００３４】
また、この表示モジュールでは、前記フレキシブル配線板３１の一端部を前記液晶表示パネル２０の端子配列部２１ａの端縁よりも前記端子配列部２１ａの内側に入り込んだ領域において前記端子配列部２１ａに接着しているため、前記端子配列部２１ａへのフレキシブル配線板３１の接着長さＷ′が、図３に示した従来の表示モジュールにおける接着長さＷよりも短くなる。
【００３５】
そのため、この参考例では、前記端子配列部２１ａのフレキシブル配線板３１の接着領域から前記液晶表示パネル２０の後基板２２の端縁までの距離Ｓ′を、図３に示した従来の表示モジュールにおける距離Ｓよりも小さくし、前記端子配列部２１ａへのフレキシブル配線板３１の接着長さＷ′を稼いで、十分な接着力が得られるようにしている。この接着長さＷは１．２ｍｍぐらい確保できれば十分である。
【００３６】
さらに、この参考例では、前記液晶表示パネル１の端子配列部２ａに配列形成された前記複数の走査側端子電極６および信号側端子電極を、図１に示したように、その端縁がフレキシブル配線板接着領域の端子配列部２１ａの端縁側の縁部にほぼ一致する長さに形成し、前記フレキシブル配線板３１の複数の出力側配線と前記複数の走査側端子電極２５および信号側端子電極とを、前記フレキシブル配線板３１の接着長さＷ′の全長にわたって対向させることにより、前記異方導電性接着剤３３による前記出力側配線と前記端子電極との接続部の電気抵抗を十分に小さくしている。
【００３７】
この表示モジュールは、上記のように、フレキシブル配線板３１の一端部を液晶表示パネル２０の端子配列部２１ａの端縁よりも前記フレキシブル配線板３１の折り返し部の曲率半径（数百μｍ程度）に相当する長さ以上の距離Ｌだけ前記端子配列部２１ａの内側に入り込んだ領域において前記端子配列部２１ａに接着し、このフレキシブル配線板３１を前記端子配列部２１ａの端縁よりも内側において折り返したものであるため、前記液晶表示パネル２０の外側への前記フレキシブル配線板３１の折り返し部のはみ出しが無く、したがって、前面側から見た外形を、前記液晶表示パネル２０の外形に対応したシンプルな形状にすることができる。
【００３８】
そのため、この表示モジュールを実装する電子機器の表示モジュール収容部４０は、図１に仮想線（二点鎖線）で示したように、図３に示した表示モジュール収容部１５のようなフレキシブル配線板１２のはみ出し部（折り返し部）の収容スペース１５ａの無い形状でよく、したがって、前記表示モジュール収容部４０の構造を簡単にし、その製造コストを低減することができる。
【００３９】
しかも、前記表示モジュールは、前面側から見た外形が、前記フレキシブル配線板３１の折り返し部のはみ出しが無い形状であるため、前記液晶表示パネル２０の全ての側縁を前記表示モジュール収容部４０により周囲から支持することができ、したがって、この表示モジュールを、前記液晶表示パネル２０の面方向に沿った全ての方向へのずれなどの変動を拘束して前記表示モジュール収容部４０に収容することができる。
【００４０】
さらに、前記表示モジュールによれば、前記表示モジュール収容部４０に、図３に示した従来の表示モジュールを実装する電子機器の表示モジュール収容部１５のようなフレキシブル配線板１２のはみ出し部（折り返し部）の収容スペース１５ａを設ける必要が無いため、その分だけ表示モジュール収容部４０の面積を小さくし、電子機器の小型化を図ることができる。
【００４１】
図２はこの発明の実施例を示す表示モジュールの一部分の断面図であり、この実施例の表示モジュールは、フレキシブル配線板３１の折り返し部の内周側に、その折り返し形状を規定するための折り返しガイド部材３４を設けたものである。
【００４２】
なお、この実施例の表示モジュールは、フレキシブル配線板３１の折り返し部の内周側に折り返しガイド部材３４を設けたものであるが、他の構成は上述した参考例の表示モジュールと同じであるため、重複する説明は、図に同符号を付して省略する。
【００４３】
前記折り返しガイド部材３４は、前記フレキシブル配線板３１のほぼ全幅にわたる長さと、液晶表示パネル２０の端子配列部２１ａのフレキシブル配線板接着領域から前記フレキシブル配線板３１の折り返し部にわたる幅を有するとともに一側面が円弧状の湾曲凸面に形成された樹脂板からなっており、その湾曲凸面から前後面にわたって、粘着剤または両面粘着テープ３５が被着されている。
【００４４】
この実施例の表示モジュールは、前記液晶表示パネル２０の端子配列部２１ａに異方導電性接着剤３３を介して前記フレキシブル配線板３１の一端部を重ね、図示しないヒートシール治具による加熱圧着により前記端子配列部２１ａに前記フレキシブル配線板３１を接着接続した後、前記フレキシブル配線板３１の一端部の背面に前記折り返しガイド部材３４の前面を貼り付け、その後に、前記前記フレキシブル配線板３１を前記折り返しガイド部材３４の湾曲凸面に押し付けながら円弧状に折り返して、この折り返しガイド部材３４の湾曲凸面および後面に貼り付けることにより組み立てられる。
【００４５】
この実施例の表示モジュールは、前記フレキシブル配線板３１の折り返し部の内周側に、その折り返し形状を規定するための折り返しガイド部材３４を設けたものであるため、前記液晶表示パネル２０の外側へのフレキシブル配線板３１の折り返し部のはみ出しをより確実に無くすとともに、前記フレキシブル配線板３１の折り返し形状を一定にし、前記液晶表示パネル２０とフレキシブル配線板３１とからなる表示モジュール全体の形状を規格化することができる。
【００４６】
なお、上記実施例では、液晶表示パネル１の端子配列部２ａに配列形成された複数の走査側端子電極６および信号側端子電極を、その端縁がフレキシブル配線板接着領域の端子配列部２１ａの端縁側の縁部にほぼ一致する長さに形成しているが、前記走査側端子電極６および信号側端子電極は、前記端子配列部２１ａの端縁まで延長させて形成してもよく、その場合でも、フレキシブル配線板３１の一端部を前記端子配列部２１ａの端縁よりもこの端子配列部２１ａの内側に入り込んだ領域において接着し、このフレキシブル配線板３１を前記端子配列部２１ａの端縁よりも内側において折り返すことにより、液晶表示パネル２０の外側へのフレキシブル配線板３１の折り返し部のはみ出しを無くし、前面側から見た外形を、前記液晶表示パネル２０の外形に対応したシンプルな形状にすることができる。
【００４７】
また、上記実施例で用いた液晶表示パネル２０は、外光を利用する反射表示を行なう反射型のものであるが、液晶表示パネルは、その後面側に光の反射手段を配置し、前面側に照明光を液晶表示パネルに向けて出射する照明手段を配置した反射型のものでも、後面側にバックライトを配置した透過型のものでも、後面側に光の反射機能と照明光の出射機能とを有する反射／照明手段を配置した反射／透過型のものでもよい。
【００４８】
さらに、前記液晶表示パネルは、単純マトリックス方式のものに限らず、アクティブマトリックス方式またはセグメント方式のものでもよく、また、ＴＮ型またはＳＴＮ型のものに限らず、ゲストホスト型、散乱効果型、横電界によって表示動作するインプレインスイッチング型のものなどでもよい。
【００４９】
また、上記実施例では、表示パネルとして、液晶表示パネルを用いているが、表示パネルは、電気泳動またはエレクトロクロミック等の電気光学物質層を用いた電気光学表示パネルでもよい。
【００５０】
【発明の効果】
この発明の表示モジュールは、フレキシブル配線板の折り返し部の内周側に、一側面が円弧状の湾曲凸面に形成された樹脂板からなり、前記フレキシブル配線板の折り返し形状を規定するための折り返しガイド部材と、前記ガイド部材の湾曲凸面に被着された粘着剤或いは両面粘着テープのうちのいずれか一方からなり、前記フレキシブル配線板を貼り付けるための粘着部材とを備え、端子配列部の端縁から前記フレキシブル配線板の折り返し部の曲率半径に相当する距離をとった位置より内側に端子電極を形成し、フレキシブル配線板の一端部を表示パネルの端子配列部の端縁よりも前記端子配列部の内側に入り込んだ領域において前記端子配列部に接着し、このフレキシブル配線板を前記端子配列部の端縁よりも内側において折り返したものであるため、前記表示パネルの外側へのフレキシブル配線板の折り返し部のはみ出しを無くし、前面側から見た外形を、前記表示パネルの外形に対応したシンプルな形状にすることができる。
【００５１】
また、この発明の表示モジュールにおいては、前記フレキシブル配線板の折り返し形状を一定にし、前記表示パネルとフレキシブル配線板とからなる表示モジュール全体の形状を規格化することができる。
【図面の簡単な説明】
【図１】  参考例を示す表示モジュールの一部分の断面図。
【図２】  この発明の実施例を示す表示モジュールの一部分の断面図。
【図３】  従来の表示モジュールの一部分の断面図。
【符号の説明】
２０…液晶表示パネル
２１，２２…基板
２１ａ…端子配列部
２３，２４…電極
２５…端子電極
２７…液晶層
２８，２９…偏光板
３０…反射板
３１…フレキシブル配線板
３２…駆動回路素子
３３…異方導電性接着剤
３４…折り返しガイド部材
３５…粘着剤または両面粘着テープ
【図１】
0003764945.tif 000002
【図２】
0003764945.tif 000003
【図３】
0003764945.tif 000004